(57)【要約】【課題】  ボールジョイント部が被水されるのを防ぐ防水カバーの取り付けを簡単に位置決めしてより効率良く行うことができるワイパ装置を提供する。【解決手段】  モータ１１の出力軸１１ａに一端部１６ａが固定され、出力軸と一体に回転するクランクアーム１６と、ワイパアーム１５を揺動させるピボット軸１４ａに一端部１７ａを固定したピボットアーム１７と、クランクアームの他端部１６ｂとピボットアームの他端部１７ｂにボールジョイント部１８Ａ，１８Ｂを介して両端がそれぞれ連結されたリンクコンロッド１９と、ボールジョイント部１８Ａを覆う防水カバー２０とを備えたワイパ装置１０において、モータを取り付けた取付フレーム１２の一対の突起部１２ｂ，１２ｂに防水カバー２０の一対の取付孔２０ａ，２０ａを嵌め込んだ後で、該一対の突起部にプッシュナット２１を圧入して該防水カバー２０を抜け止め自在に取り付けた。【選択図】  図２
2006123574.tif 000002
【特許請求の範囲】
【請求項１】
モータの出力軸に一端部が固定され、該出力軸と一体に回転するクランクアームと、ワイパアームを揺動させるピボット軸に一端部を固定したピボットアームと、これらクランクアームの他端部とピボットアームの他端部にボールジョイント部を介して両端がそれぞれ連結されたリンクコンロッドと、前記ボールジョイント部を覆う防水カバーとを備えたワイパ装置において、
前記モータを取り付けた取付フレームに一対の突起部を形成し、この一対の突起部に対向する前記防水カバーに一対の取付孔を形成し、前記一対の突起部に前記防水カバーの一対の取付孔を嵌め込んだ後で該一対の突起部に係止される締結部材を介して該防水カバーを取り付けたことを特徴とするワイパ装置。
【請求項２】
請求項１記載のワイパ装置であって、
前記防水カバーを樹脂で板状に形成すると共に、前記一対の突起部を円柱状に一体突出形成し、かつ、前記締結部材としてプッシュナットを用い、前記一対の突起部に前記防水カバーの一対の取付孔を嵌め込んだ後で該一対の突起部に前記プッシュナットをそれぞれ圧入して該防水カバーを抜け止め自在に取り付けたことを特徴とするワイパ装置。
【発明の詳細な説明】
【技術分野】
【０００１】
本発明は、車両のウィンドシールドガラス等を払拭するワイパ装置に関する。
【背景技術】
【０００２】
この種のワイパ装置として、図５及び図６に示すものがある（例えば、特許文献１参照）。このワイパ装置のワイパピボット１は、図５に示すように、ワイパアーム２を揺動させるピボットホルダ３のピボット軸３ａに一端部４ａを固定したピボットアーム４の他端部４ｂと、図示しないモータの駆動力で得られる揺動運動を上記ピボット軸３ａに伝達するリンクコンロッド５の一端５ａとをボールジョイント部６を介して転動自在に連結してある。
【０００３】
また、図５及び図６に示すように、ボールジョイント部６のボールピン６ａにはボールリテーナ６ｂを覆うようにゴム製の防水カバー７を取り付けてある。これにより、ピボットアーム４に沿って流下する水が防水カバー７によって遮られ、ボールジョイント部６が被水されにくくなっている。
【０００４】
【特許文献１】特開２００３−１７０８１４号公報
【発明の開示】
【発明が解決しようとする課題】
【０００５】
しかしながら、前記従来のワイパ装置のワイパピボット１では、防水カバー７をボールジョイント部６のボールピン６ａに貫通させた後で、該ボールピン６ａの基端６ｃをピボットアーム４の他端部４ｂにかしめ固定しているため、防水カバー７の取付作業性が煩雑となり、取付作業に熟練を要して作業効率が低下した。
【０００６】
そこで、本発明は、前記した課題を解決すべくなされたものであり、ボールジョイント部が被水されるのを防ぐ防水カバーの取り付けを簡単に位置決めしてより効率良く行うことができるワイパ装置を提供することを目的とする。
【課題を解決するための手段】
【０００７】
請求項１の発明は、モータの出力軸に一端部が固定され、該出力軸と一体に回転するクランクアームと、ワイパアームを揺動させるピボット軸に一端部を固定したピボットアームと、これらクランクアームの他端部とピボットアームの他端部にボールジョイント部を介して両端がそれぞれ連結されたリンクコンロッドと、前記ボールジョイント部を覆う防水カバーとを備えたワイパ装置において、前記モータを取り付けた取付フレームに一対の突起部を形成し、この一対の突起部に対向する前記防水カバーに一対の取付孔を形成し、前記一対の突起部に前記防水カバーの一対の取付孔を嵌め込んだ後で該一対の突起部に係止される締結部材を介して該防水カバーを取り付けたことを特徴とする。
【０００８】
請求項２の発明は、請求項１記載のワイパ装置であって、前記防水カバーを樹脂で板状に形成すると共に、前記一対の突起部を円柱状に一体突出形成し、かつ、前記締結部材としてプッシュナットを用い、前記一対の突起部に前記防水カバーの一対の取付孔を嵌め込んだ後で該一対の突起部に前記プッシュナットをそれぞれ圧入して該防水カバーを抜け止め自在に取り付けたことを特徴とする。
【発明の効果】
【０００９】
以上説明したように、請求項１の発明によれば、取付フレームに形成した一対の突起部に防水カバーの一対の取付孔を嵌め込んだ後で、一対の突起部に係止される締結部材を介して防水カバーを取り付けたことにより、ボールジョイント部が被水されるのを防ぐ防水カバーの取り付けを簡単に位置決めしてより効率良く行うことができる。
【００１０】
請求項２の発明によれば、取付フレームの一対の突起部にプッシュナットをそれぞれ圧入して防水カバーを抜け止め自在に取り付けたことにより、取付フレームの一対の突起部に防水カバーを確実に取り付けることができる。
【発明を実施するための最良の形態】
【００１１】
以下、本発明の実施例１を図面に基づいて説明する。
【実施例１】
【００１２】
図１は本発明の実施例１のワイパ装置を示す斜視図、図２は同ワイパ装置を下側から見た斜視図、図３は同ワイパ装置の防水カバーを取り付ける前の拡大斜視図、図４は同防水カバーを取り付けた後の拡大斜視図である。
【００１３】
図１〜図４に示すように、ワイパピボット（ワイパ装置）１０は、モータ１１を取り付けた金属製の取付フレーム１２と、この取付フレーム１２より突出したパイプフレーム１３及び該取付フレーム１２に固定された一対のピボットホルダ１４，１４′と、モータ１１の出力軸１１ａに一端部１６ａが固定され、該出力軸１１ａと一体に回転するクランクアーム１６と、ワイパアーム１５を揺動させる各ピボットホルダ１４のピボット軸１４ａに一端部１７ａを固定した一対のピボットアーム１７，１７′と、これらクランクアーム１６の他端部１６ｂと一方のピボットアーム１７の他端部１７ｂに各ボールジョイント部（連結部）１８Ａ，１８Ｂを介して両端１９ａ，１９ｂがそれぞれ枢支されたリンクコンロッド１９と、一対のピボットアーム１７，１７′の各他端部１７ｂに各ボールジョイント部（連結部）１８Ｃを介して両端１９ａ，１９ｂがそれぞれ枢支されたリンクコンロッド１９′と、ボールジョイント部１８Ａを覆う防水カバー２０とを備えている。
【００１４】
図２〜図４に示すように、取付フレーム１２の裏面１２ａのコーナ部には、一対の突起部１２ｂ，１２ｂを円柱状に一体突出形成してある。また、防水カバー２０は合成樹脂により略矩形の板状に形成してある。この防水カバー２０の一対の突起部１２ｂ，１２ｂに対向する位置には、一対の取付孔２０ａ，２０ａを円形に形成してある。そして、図３，図４に示すように、この防水カバー２０の一対の取付孔２０ａ，２０ａを取付フレーム１２の一対の突起部１２ｂ，１２ｂに嵌め込んだ後で、該一対の突起部１２ｂ，１２ｂにプッシュナット（締結部材）２１をそれぞれ圧入して係止することにより、防水カバー２０は取付フレーム１２の一対の突起部１２ｂ，１２ｂに抜け止め自在に取り付けられるようになっている。
【００１５】
以上実施例１のワイパピボット１０によれば、取付フレーム１２の裏面１２ａに一体突出形成された円柱状で一対の突起部１２ｂ，１２ｂに防水カバー２０の一対の取付孔２０ａ，２０ａを嵌め込むと、防水カバー２０を取り付ける際の位置決めが簡単に行われ、この後で、取付フレーム１２の裏面１２ａの一対の突起部１２ｂ，１２ｂに円環皿状のプッシュナット２１をそれぞれ圧入して係止することにより、防水カバー２０が簡単に抜け止めされて取り付けられる。
【００１６】
このように、取付フレーム１２の一対の突起部１２ｂ，１２ｂに係止されるプッシュナット２１を介して防水カバー２０を取り付けたことにより、ボールジョイント部１８Ａが被水されるのを防ぐ防水カバー２０の取り付けを簡単に位置決めしてより効率良く行うことができる。また、取付フレーム１２の一対の突起部１２ｂ，１２ｂに防水カバー２０を確実に取り付けることができ、取付フレーム１２からの防水カバー２０の落下等を確実に防止することができる。
【００１７】
尚、前記実施例１によれば、取付フレームに防水カバーを取り付けて固定する締結部材としてプッシュナットを用いたが、Ｃ形の止めリング等の他の締結部材でも良いことは勿論である。
【図面の簡単な説明】
【００１８】
【図１】本発明の実施例１のワイパ装置を示す斜視図である。
【図２】上記ワイパ装置を下側から見た斜視図である。
【図３】上記ワイパ装置の防水カバーを取り付ける前の拡大斜視図である。
【図４】上記ワイパ装置の防水カバーを取り付けた後の拡大斜視図である。
【図５】従来のワイパ装置の側面図である。
【図６】上記従来のワイパ装置の要部を示す拡大断面図である。
【符号の説明】
【００１９】
１０  ワイパピボット（ワイパ装置）
１１  モータ
１１ａ  出力軸
１２  取付フレーム
１２ｂ，１２ｂ  一対の突起部
１４ａ  ピボット軸
１５  ワイパアーム
１６  クランクアーム
１６ａ  一端部
１６ｂ  他端部
１７  ピボットアーム
１７ａ  一端部
１７ｂ  他端部
１８Ａ  ボールジョイント部
１９  リンクコンロッド
１９ａ，１９ｂ  両端
２０  防水カバー
２０ａ，２０ａ  一対の取付孔
２１  プッシュナット（締結部材）
【図１】
2006123574.tif 000003
【図２】
2006123574.tif 000004
【図３】
2006123574.tif 000005
【図４】
2006123574.tif 000006
【図５】
2006123574.tif 000007
【図６】
2006123574.tif 000008